(57)【特許請求の範囲】
【請求項１】
台座に回転可能に取り付けたハンドルを１８０度回転したとき係止片が突出若しくは没入して施解錠し、上記ハンドルが施錠位置及び解錠位置にあるとき該ハンドルに回転力を付与しないよう該ハンドルの軸の対向辺を板ばねで挟着するようにした施錠装置において、上記ハンドルが施錠位置及び解錠位置にあるとき板ばねが挟着する上記対向辺はハンドルの軸の回転中心を通る仮想中心線に対して平行状態に対向し、該対向辺に交叉する方向に延びる辺は上記ハンドルが施錠位置と解錠位置間を回転するとき上記板ばねによりハンドルに回転力を付与するよう上記仮想中心線に対して直交せず傾斜している傾斜辺に形成されていることを特徴とする施錠装置。
【請求項２】
上記ハンドルの軸は、角軸に形成され、上記対向辺及び傾斜辺は該角軸に嵌着した板カムに形成されている請求項１に記載の施錠装置。
【請求項３】
上記対向辺と傾斜辺が交叉する角部は弧状に形成されている請求項１に施錠装置。
【請求項４】
上記板カムは、略平方四辺形形状に形成されている請求項２に記載の施錠装置。
【請求項５】
上記板カムは反転可能に上記角軸に嵌着されている請求項２または４に記載の施錠装置。
【請求項６】
折りたたみ可能に中間サッシ部分で連結した戸先側扉と吊元側扉を有し、該中間サッシに上記請求項１に記載の施錠装置を設け、係止片が施錠位置及び解錠位置にあるとき上記中間サッシに沿ってハンドルが位置するよう上記台座を中間サッシに取り付けたことを特徴とする折り戸。
【発明の詳細な説明】
【技術分野】
【０００１】
本発明は、ハンドルに連動して係止片を扉から出没させ施解錠するようにした施錠装置及びそれを用いた折り戸に関する。
【背景技術】
【０００２】
戸先側扉と吊元側扉を中間サッシ部分で折りたたみ可能に連結した折り戸は、開閉操作や施解錠操作するためのハンドルが戸先側扉や中間サッシ部分に設けられている。戸先側扉と吊元側扉をほぼ同じ幅に形成した折り戸の場合、折り戸を開くと、戸先側扉と吊元側扉が中間サッシの幅をあけて折り重なることになるから、上記中間サッシ部分に取り付けたハンドルが横向きになっているとハンドル端が扉の平面部に当って干渉する。そのような事態は、下記するように、ハンドルの基端を台座に回転可能に取り付けた通常の形式の施錠装置ではしばしば生じる可能性がある。
【０００３】
すなわち、通常の施錠装置では、施錠位置と解錠位置の位置精度を出しやすいよう例えば、図８に示すように施錠装置のメカ部に連結するハンドル（１）の軸部は角軸（２）に形成されている。この角軸（２）は、一般的にすべての内角が９０度の断面正方形に形成され、かつ施錠位置や解錠位置近くまでハンドルが回転したとき各位置に向けて該ハンドルを確実に回転させるよう角軸の両側面を板ばね（３）で挟着してある。そして、この板ばねは、上記ハンドルが施錠位置若しくは解錠位置になったとき、該ハンドルに回転力を生じさせないよう上記角軸（２）の対向辺（４）にほぼ均等に接し、ハンドルの回転を停止させている（図８（Ａ）、（Ｅ））。
【０００４】
従来の施錠装置は、上述のように平行な面で形成された２つの対向辺を直交して有する角軸に板ばねをほぼ均等に接触させることにより、該角軸、すなわちハンドルが回転しないように保持しているから、ハンドルが施錠位置若しくは解錠位置から９０度回転する位置でも上記板ばねの作用でハンドルはその位置に停止することになる（図８（Ｃ））。したがって、折り戸の中間サッシに上記の如き施錠装置を使用すると、ハンドルは中間サッシの上下方向に向いた位置で施錠、解錠状態で停止すると共に中間サッシの横方向を向いた位置でも停止し、上記のように扉に干渉する事態を生じるのである。
【０００５】
上記のような事態を生じないよう扉を施錠、解錠するとき、ハンドルが横向きにならないように構成した装置も知られている（例えば、特許文献１参照）。しかし、特許文献１に記載のものは、ハンドルが中間サッシの幅内で移動するようハンドルを操作者の手前側に引き越して起立させたり、中間サッシに沿って倒伏させたりするよう構成されているので、扉を開閉する際に操作者は手首を返さなければならず、使いにくい。
【特許文献１】特開２００２−１８０７０７号公報（請求項１、図５）
【発明の開示】
【発明が解決しようとする課題】
【０００６】
本発明の解決課題は、ハンドルを回転する際ハンドルが９０度回転した位置では停止せず、１８０度回転した位置で確実に停止するようにした施錠装置を提供することであり、またそのような施錠装置を用いた折り戸を提供することである。
【課題を解決するための手段】
【０００７】
本発明によれば、台座に回転可能に取り付けたハンドルを１８０度回転したとき係止片が突出若しくは没入して施解錠し、上記ハンドルが施錠位置及び解錠位置にあるとき該ハンドルに回転力を付与しないよう該ハンドルの軸の対向辺を板ばねで挟着するようにした施錠装置において、上記ハンドルが施錠位置と解錠位置間を回転するとき上記板ばねによりハンドルに回転力が付与されるよう該板ばねが挟着する側辺を傾斜辺に形成したことを特徴とする施錠装置が提供され、またこの施錠装置を中間サッシに取り付けた折り戸が提供される。
【発明の効果】
【０００８】
本発明は上記のように構成され、施錠位置及び解錠位置において板ばねがハンドルの軸の対向辺を挟着することにより該ハンドルは回転しないように保持され、施錠位置と解錠位置間をハンドルが回転するときには、上記板ばねが接する側辺が傾斜辺に形成されているので、ハンドルが横向きになっているときに折り戸を開いて扉にハンドルが当るようなことがあっても、該ハンドルは容易に解錠方向に回転してハンドルやサッシ等に損傷を与えることがない。また、通常使用するときにはハンドルを持って回転操作すればよいから、操作の途中で手首を返す必要がなく、使いやすい。
【０００９】
さらに、上記板ばねが安定状態に接する対向辺やハンドルに回転力を与える傾斜辺を板カムに形成し、該板カムをハンドルの角軸に反転可能に嵌着させるようにすると、該板カムを反転して取り付けることによりハンドルを右勝手や左勝手に変更することができ、便利である。
【発明を実施するための最良の形態】
【００１０】
図１〜図４は、折り戸（１０）の一例を示し、戸先側竪枠（１１）と吊元側竪枠（１２）及び上枠（１３）と下枠（１４）で戸枠（１５）が形成され、該戸枠（１５）内に吊元側竪枠（１２）に回動自在に連結された吊元側扉（１６）と、ガイドレール（１７）に沿って走行するガイドローラー（１８）に支持された戸先側扉（１９）と、上記吊元側扉（１６）と戸先側扉（１９）を回動自在に連結する連結金具（図示略）を支持する中間サッシ（２０）を有し、該中間サッシ（２０）に設けたハンドル（２１）により、公知のように上記扉（１６）、（１９）は、図１、図３に示すように開口部を閉鎖したり、折り畳まれて開口部を開く（図２、図４）。
【００１１】
上記中間サッシ（２０）には、上記ハンドル（２１）を有する施錠装置（２２）が取り付けられている。該ハンドル（２１）は、施錠装置（２２）の台座（２３）に回転可能に設けられ、図１に示すように扉（１６）、（１９）が閉鎖状態にあるとき該ハンドル（２１）を実線位置に回転させると、該ハンドルに連動する係止片（２４）が扉から突出して上枠（１３）及び又は下枠（１４）に係合して扉は施錠される。また、図１の実線に示す状態からハンドルを回転させると、上記係止片（２４）は扉内に没入し、解錠され、図２、図４に示すように扉を開口することができる。なお、係止片（２４）は、多点ロック式にしたり、その他公知の種々の構成にすることができる。
【００１２】
上記係止片（２４）を駆動するための施錠装置のメカ部としては、カム機構、リンク機構、ラックピニオン機構その他の種々の構成が知られているが、本発明の施錠装置では適宜の機構を採用することができる。図５は、メカ部の一例を示し、本体（２５）内に係止片（２４）に連結するラック（２６）と上記ハンドル（２１）の角軸（２７）に嵌合するピニオン（２８）を有し、該ハンドルを１８０度回転することによりラックピニオン機構で上記係止片（２４）が突出して施錠状態になったり、扉内に没入して解錠状態となるよう構成している。
【００１３】
上記ハンドル（２１）は、図６に示すように角軸（２７）が固着され、折り戸に取り付ける台座（２３）に挿入され、丸ナット（２９）、裏面カバー（３０）及び抜け止めナット（３１）で回転可能に固定され、該角軸（２７）の先端に上記ピニオン（２８）が装着される。また、該角軸には板カム（３２）が嵌着され、該板カム（３２）を挟着するよう両端がストッパー（３３）で保持された板ばね（３４）が設けられている。
【００１４】
上記板カム（３２）は、上記ハンドル（２１）が施錠位置及び解錠位置にあるとき、該ハンドルに回転力を付与しないよう板ばね（３４）が挟着する対向辺（３５）を有する。該対向辺（３５）は、上記角軸（２７）の回転中心（Ｏ）を通る仮想中心線（３６）に対し平行状態に対向している。また、該対向辺（３５）に交叉する方向に延びる他の辺は、上記ハンドルが施錠位置と解錠位置間を回転するとき上記板ばねによりハンドルに回転力が付与されるよう傾斜辺（３７）に形成され、該板カムは不等内角を有する四辺形状になっている。換言すると、上記対向辺（３５）に交叉する方向に延びる辺は、上記仮想中心線（３６）に対して直交せず適宜の角度で傾斜している。なお、該傾斜辺（３７）は、図６（Ｂ）に示すように直線状に設けてあるが、適宜わん曲させたり屈曲させて設けてもよく、傾斜辺（３７）と対向辺（３５）の交叉する角部（３８）は弧状に形成されている。
【００１５】
実施例においては、図６（Ｂ）に示すように、上記板カム（３２）は、好ましくは略平行四辺形状に形成してあるが、略台形状に形成したり、適宜の形状に形成することもできる。また、上記対向辺（３５）と傾斜辺（３７）を、上記角軸（２７）の外周に直接的に形成して、板カム（３２）を省略してもよい。なお、上記板カム（３２）を反転可能に角軸（２７）に嵌着できるようすると、適宜反転して取り付けることにより右勝手、左勝手のハンドルに共通して使用することができる。
【００１６】
上記施錠装置の台座（２３）は、施錠位置及び解錠位置でハンドル（２１）が折り戸（１０）の中間サッシ（２０）の上下方向を向くように該中間サッシ（２０）に取り付けられる。図７においては、施錠位置でハンドル（２１）が上向きになっている実施例を示し、同図（Ａ）に示すように板ばね（３４）が板カム（３２）の対向辺（３５）にほぼ均等に接して該板カム（３２）、すなわち角軸（２７）を介してハンドル（２１）が回転しないように保持している。また、この施錠位置近傍では、板ばね（３４）の力がハンドルを施錠位置に回転する方向に作用している。
【００１７】
公知のように、上記施錠装置のメカ部の構造によりハンドルの回転角と係止片（２４）の出没量の関係は種々に設定することができるが、通常はハンドル（２１）の回転角が１００度を過ぎないと解錠状態にならないように設定されているものが多い。そのため、上記施錠状態からハンドル（２１）を回転すると、１００度近傍で施錠状態から解錠状態に切り替わり、折り戸を開扉することが可能となる。このような操作の途中で、ハンドルが横向きになったときでも、図７（Ｃ）に示すように、上記板ばね（３４）は傾斜辺（３７）に対向していて、上記ハンドルには該板ばねにより解錠位置方向に回転力が付与されるので、その状態で停止することはない。
【００１８】
そして、図７（Ｄ）に示すように、ハンドルが約１３０度以上回転すると板ばねの力が板カム（３２）の角部（３８）に対向状態に作用して平衡が保たれ停止する可能性もあるが、該角部（３８）は、弧状に形成されているから、わずかな力やハンドルの慣性が働くと、ハンドルに解錠位置方向への回転力が付与され、該板ばね（３４）によりハンドル（２１）は下向きに回転し、解錠状態を維持する（図７（Ｅ））。解錠状態から施錠状態にする場合は、扉が閉鎖状態にならないと係止片でロックすることができないから、閉鎖状態でハンドルを回動して図７（Ａ）の状態にすればよい。
【図面の簡単な説明】
【００１９】
【図１】折り戸の一実施例を示す正面図。
【図２】折り戸を開いた状態の正面図。
【図３】閉鎖状態の折り戸の平面図。
【図４】開放状態の折り戸の平面図。
【図５】メカ部の一例を示す説明図。
【図６】台座部分を示し、（Ａ）は断面図、（Ｂ）は板ばね部分の説明図。
【図７】ハンドルを回転した状態の説明図。
【図８】従来の施錠装置において、ハンドルを回転した状態の説明図。
【符号の説明】
【００２０】
２１    ハンドル
２７    角軸
３２    板カム
３４    板ばね
３５    対向辺
３７    傾斜辺
３８    角部
【図１】
0004746408.tif 000002
【図２】
0004746408.tif 000003
【図３】
0004746408.tif 000004
【図４】
0004746408.tif 000005
【図５】
0004746408.tif 000006
【図６】
0004746408.tif 000007
【図７】
0004746408.tif 000008
【図８】
0004746408.tif 000009